(57)【要約】【課題】  床に落ちている塵埃を容易に吸気口より吸引して除去することのできる空気清浄機を提供する。【解決手段】  本体ケース１内に送風機７とフィルタ１３を設け、送風機７の駆動により、本体ケースに設けた吸気口１４より外気を吸引してフィルタ１３に通し、浄化した後本体ケースに設けた排気口２０より放出するもので、排気口２０より放出される前の空気を設置面である床に向けて吹き付ける風路となる開口２１を設ける。さらに、開口２１を開閉するシャッター２４を設ける。  【効果】  開口２１を開くことにより浄化された空気の一部が開口２１より床面に向けて吹き出され、床に落ちている塵埃は、舞い上げられて吸気口１４より吸引されフィルタ１３、１２で除去される。【選択図】    図３
2006136804.tif 000002
【特許請求の範囲】
【請求項１】
本体ケース内に送風機とフィルタを設け、送風機の駆動により、本体ケースに設けた吸気口より外気を吸引してフィルタに通し、該フィルタにて外気を浄化した後本体ケースに設けた排気口より放出する空気清浄機において、前記排気口より放出される前の空気を空気清浄機の設置面に向けて吹き付ける風路を設けてなることを特徴とする空気清浄機。
【請求項２】
前記風路は、前記排気口より放出される前の空気の一部が通るようにした請求項１に記載の空気清浄機。
【請求項３】
前記風路を開閉するシャッターを設けてなる請求項１又は請求項２に記載の空気清浄機。
【請求項４】
前記排気口より放出される前の空気を全て前記排気口から放出するか全て前記風路より吹き出すかを切り替えるシャッターを設けてなる請求項１に記載の空気清浄機。
【請求項５】
前記排気口から放出される空気と前記風路から吹き出される空気の量を調整できるようにした請求項１に記載の空気清浄機。
【請求項６】
前記送風機とフィルタと吸気口の上方に、さらに一組の上側送風機と上側フィルタと上側吸気口を設け、該上側送風機の駆動により上側吸気口より吸引され上側フィルタで浄化された外気の排気口を、本体ケースの上面に形成し、下側に位置する前記送風機の駆動により前記吸気口より吸引され前記フィルタで浄化された外気の排気口は、本体ケースの下方に形成してなる請求項１乃至請求項５のいずれかに記載の空気清浄機。
【発明の詳細な説明】
【技術分野】
【０００１】
本発明は、本体ケースに設けた吸気口より吸引した外気をフィルタを通して浄化した後排気口より放出する空気清浄機に関する。
【背景技術】
【０００２】
空気清浄機は、本体ケースの内部に送風機とフィルタを配設し、送風機の駆動により本体ケースの前面に設けた吸気口より外気を吸引してフィルタに通し、外気中に含まれる塵埃を除去したり臭い成分を脱臭して浄化し、浄化した外気を排気口より放出するのが一般的に知られている。 (例えば、特許文献１参照)。
【特許文献１】特開２００２−７９０１８号公報
【発明の開示】
【発明が解決しようとする課題】
【０００３】
かかる空気清浄機において、フィルタにて除去される塵埃は、空気中に浮遊しているものが殆どで、一度床に落ちた塵埃は、容易に吸気口より吸い込むことはできず、除去することは難しかった。
【０００４】
また集塵や脱臭性能を向上させるためには、フィルタの厚みを厚くしたり、フィルタに目の細かい高性能フィルタを採用する必要があり、その結果フィルタにおける圧力損失が増大するので、それに打ち勝つ風量を得るために送風機を大型にする必要があり、自ずと本体の厚みが増して設置面積が増大する。
【０００５】
本発明の目的は、床に落ちた塵埃を容易に吸気口より吸引して除去することのできる空気清浄機を提供することにある。さらに本体の厚みを増すことなく、空気浄化能力を向上できる空気清浄機を提供することである。
【課題を解決するための手段】
【０００６】
上記課題を解決するために本発明は、本体ケース内に送風機とフィルタを設け、送風機の駆動により、本体ケースに設けた吸気口より外気を吸引してフィルタに通し、該フィルタにて外気を浄化した後本体ケースに設けた排気口より放出する空気清浄機において、排気口より放出される前の空気を空気清浄機の設置面である床に向けて吹き付ける風路を設けたものである。
【０００７】
具体的に前記風路は、前記排気口より放出される前の空気の一部が通るようする。そして風路を開閉するシャッターを設けてもよい。
【０００８】
また前記排気口より放出される前の空気を全て排気口から放出するか全て前記風路より吹き出すかを切り替えるシャッターを設けてもよい。
【０００９】
また前記排気口から放出される空気と前記風路から吹き出される空気の量を調整できるようにしてもよい。
【００１０】
さらに本発明は、前記送風機とフィルタと吸気口の上方に、もう一組の上側送風機と上側フィルタと上側吸気口を設け、上側送風機の駆動により上側吸気口より吸引され上側フィルタで浄化された外気の排気口を、本体ケースの上面に形成し、下側に位置する前記送風機の駆動により前記吸気口より吸引され前記フィルタで浄化された外気の排気口は、本体ケースの下方に形成したものである。
【発明の効果】
【００１１】
本発明によれば、排気口より放出される前の空気を空気清浄機の設置面である床に向けて吹き付ける風路を設けたので、この風路を通って床に吹き付けられた空気により、床に落ちていた塵埃が舞い上げられて吸気口より吸引され、フィルタにて除去することができる。
【００１２】
風路より吹き出される空気を、排気口より放出される前の空気の一部とすれば、排気口からも通常通りに浄化された空気を放出して、床面に落ちている塵埃の除去の他に室内に浮遊している塵埃の除去も同時に行うことができる。
【００１３】
風路を開閉するシャッターを設ければ、シャッターを閉じることにより、浄化された空気を全て排気口より放出する通常の運転が行え、シャッターを開いたときのみ床面に空気を吹き付けて、床に落ちている塵埃を除去することができる。
【００１４】
また排気口より放出される前の空気を全て排気口から放出するか全て風路より吹き出すかを切り替えるシャッターにより、全て風路より吹き出すようにすれば、床に多量の空気を吹き付けることができるので、外出時などに掃除の代わりとして、床に落ちている塵埃を除去しておきたい場合に適している。
【００１５】
また排気口から放出される空気と風路から吹き出される空気の量を調整できるようにすれば、床面の状況に応じた好みの運転が可能になる。
【００１６】
また送風機とフィルタと吸気口の上方に、もう一組の上側送風機と上側フィルタと上側吸気口を設け、上側送風機の駆動により上側吸気口より吸引され浄化された外気の排気口を、本体ケースの上面に形成し、下側に位置する送風機の駆動により吸引されフィルタで浄化された外気の排気口を、本体ケースの下方に形成すれば、空気清浄機の上下から放出される空気により、全体として部屋の空気を包み込むような気流を発生して部屋の隅々までの空気の流れが良好になり、部屋全体の空気を効果的に浄化することが可能になる。
【００１７】
また上側の送風機は主として室内に浮遊している細かい塵埃や臭い成分を吸引し、下側の送風機は主として床から舞い上がる比較的大きな塵埃や花粉などを吸引して浄化するので、室内の空気の汚れを汚れの原因にかかわらず効率よく除去することができる。しかも上下に送風機を配設しているので、本体の厚みを増すことなく薄型化が可能になる。
【発明を実施するための最良の形態】
【００１８】
以下、本発明を図１乃至図３に基づき説明する。空気清浄機の本体ケース１は、上面、底面、左右両側面、後面からなるケース本体２と、ケース本体２の前面開放部を塞ぐ前面板３と、前面板３の中央上部からケース本体２の上面にかけて取り付けられた操作板４から構成される。本体ケース１内は、仕切板５により前後に区画される。仕切板５で区画された後方の空間には、上下に夫々上側送風機６と下側送風機７が配設される。各送風機６、７は、夫々モータ８、９と各モータにより駆動される上側ファン１０と下側ファン１１から構成される。各ファン１０、１１はシロッコファンより構成される。
【００１９】
仕切板５で区画された前方の空間には、前記各送風機６、７と対応するように、上側フィルタ１２と下側フィルタ１３が配設されている。上側フィルタ１２は下側フィルタ１３に比べて目の細かいフィルタにすることが望ましい。前面板３には、上部から下部に至る複数の縦長スリットからなる吸気口１４が形成されている。吸気口１４は、各送風機６、７に対応する上側吸気口と下側吸気口を兼用したものである。
【００２０】
上下の送風機６、７の各ファン１０、１１の周囲は、夫々図１の如く渦巻状のファンケーシング１５、１６で囲まれている。各ファンケーシング１５、１６は、前記仕切板５より一体成型されている。上側のファンケーシング１５の吐出通路１７は上側に開口して、本体ケース１の上面に設けた格子状の上側排気口１８に連通している。下側のファンケーシング１６の吐出通路１９は、下側で且つ前方に向けて開口して、前面板３の下方に設けた横長の下側排気口２０に連通している。排気口２０は、複数の補強リブ２６にて補強されている。
【００２１】
本体ケース１の底面には、下側のファンケーシング１６の吐出通路１９に臨んで横長の開口２１が設けれられ、この開口２１から排気口２０より放出される前の一部の空気が設置面である床に向けて吹き出される構造になっている。即ち吐出通路１９と開口２１とで、排気口２０より放出される前の空気を設置面である床に向けて吹き付ける風路を形成している。本体ケース１の底面には、脚２２が取り付けられ、この脚２２の前側の傾斜面 ２３により、開口２１より吹き出された空気が前方へ向くようにしている。
【００２２】
また前記開口２１には、シャッター２４が取り付けられている。シャッター２４は前後方向にスライド可能で、摘み２５を持って手前に引くことにより図２のように開口２１は塞がれ、奥へスライドさせることで図３のように開口２１が開く。
【００２３】
かかる構成において、図２のように開口２１を塞いだ状態で、各送風機６、７を駆動すると、上側の送風機６へは吸気口１４より上側フィルタ１２を通って外気が吸引され、上側フィルタ１２で塵埃が除去され浄化された外気は、本体ケース上面の排気口１８より室内に放出される。また下側の送風機７へは吸気口１４より下側フィルタ１３を通って外気が吸引され、下側フィルタ１３で塵埃が除去され浄化された外気は、本体ケースの前面下方の排気口２０より室内に放出される。矢印Ａは空気の流れを示す。
【００２４】
このように本体ケース１の上下から浄化された空気が放出されることにより、全体として部屋の空気を包み込むような気流を発生して部屋の隅々までの空気の流れを良好にし、部屋全体の空気を効果的に浄化することが可能になる。
【００２５】
ここで室内の空気の汚れに着目すると、小さな塵埃や臭い成分は室内の上側に浮遊しやすく、大きな塵埃は室内底部の床面付近に漂いやすいので、上側の送風機６は主として室内に浮遊している細かい塵埃や臭い成分を吸引して上側フィルタ１２で浄化し、下側の送風機７は主として床面付近を漂う比較的大きな塵埃や花粉などを吸引して下側フィルタ１３で浄化するので、室内の空気の汚れの原因を効率よく除去することができる。しかも上下に送風機６、７を配設しているので、本体ケース１の厚みを増すことはない。
【００２６】
室内の空気の汚れの原因を一層効率よく除去するためには、上側フィルタ１２を下側フィルタ１３に比べて目の細かい細かい高性能フィルタや脱臭フィルタを用い、下側フィルタ１３として目の粗いフィルタや花粉専用のフィルタを用いればよい。
開口２１を図３のようにように開いた状態で各送風機６、７を駆動すると、上側排気口１８や下側排気口２０より浄化された空気が矢印Ａの如く放出されると共に、下側排気口２０から放出される前の浄化された空気の一部が、矢印Ｂの如く開口２１より床面に向けて吹き出される。この結果床に落ちていた塵埃が舞い上げられ、吸気口１４より吸引されてフィルタ１３や１２（主に下側フィルタ１３）により除去される。
【００２７】
このようにシャッター２４を開閉することにより、通常の運転を行ったり（シャッター閉状態）、床面に落ちている塵埃を除去する一種の掃除運転を行ったり（シャッター開状態）することができる。
【００２８】
以上の実施例ではシャッター２４を設けているが、シャッターを用いることなく常時開口２１を開いた状態にして、床面に落ちている塵埃を舞い上げて除去できる構成としてもよい。
【００２９】
また開口２１は開いたままで、排気口２０の方に排気口２０を開閉するシャッターを設けて該シャッターを閉じて排気口２０を塞いだときは、全ての空気が開口２１より床面に向けて吹き出されるようにすることもできる。このようにすれば、床に多量の空気を吹き付けることができるので、外出時などに掃除の代わりとして、床に落ちた塵埃を除去しておきたい場合に適している。
【００３０】
また排気口２０より放出される前の空気を、全て排気口２０から放出するか全て風路（開口２１）より吹き出すかをシャッターにより切り替えるようにすることもできる。全てを開口２１より吹き出すようにすれば、上述と同様に、外出時などに掃除の代わりとして、床に落ちた塵埃を除去することができる。
【００３１】
また前記開口２１を開閉するシャッター２４は、任意の位置で固定して、排気口２０から放出される空気の量と開口２１から吹き出される空気の量を調整できるようにすることもできる。同様に、排気口２０より放出される前の空気を全て排気口２０から放出するか全て開口２１より吹き出すかを切り替えるシャッターを、切り替え途中の任意の位置で固定して、排気口２０から放出される空気の量と開口２１から吹き出される空気の量を調整できるようにすることもできる。このようにすれば、床面の状況に応じた好みの運転ができる。
【００３２】
なお、前記シャッターは、手動式で操作するほか、電動式で操作されるような構成にすることもできる。
【図面の簡単な説明】
【００３３】
【図１】本発明の空気清浄機の正面図である。
【図２】同空気清浄機の縦断面図と、円内拡大図である。
【図３】同空気清浄機の異なる状態を示す縦断面図と円内拡大図である。
【符号の説明】
【００３４】
１      本体ケース
７      下側送風機
１３    下側フィルタ
１４    吸気口
２０    下側排気口
２１    開口（風路）
１９    吐出通路（風路）
２４    シャッター
６      上側送風機
１２    上側フィルタ
１８    上側排気口
【図１】
2006136804.tif 000003
【図２】
2006136804.tif 000004
【図３】
2006136804.tif 000005